(57)【特許請求の範囲】
【請求項１】
ユーザ端末から受け付けたグループ通話の参加者募集投稿を、タイムライン上に公開する投稿公開手段と、
前記参加者募集投稿に応じて参加したユーザのユーザ端末間で、前記グループ通話を実行させる通話制御手段と、
前記グループ通話の通話音声を録音した録音データを保存する録音手段と、
前記録音データを、前記参加者募集投稿に対応付けてタイムライン上に公開する録音公開手段と、
公開された前記録音データを、ユーザ端末に再生させる再生制御手段と、
を有することを特徴とするＳＮＳサーバ装置。
【請求項２】
前記録音公開手段は、前記録音データとともに、前記グループ通話に参加したユーザのプロフィールを公開すること、
を特徴とする請求項１に記載のＳＮＳサーバ装置。
【請求項３】
前記通話制御手段は、前記グループ通話の通話中、該グループ通話に非参加のユーザのユーザ端末に対して、該グループ通話の通話音声を提供すること、
を特徴とする請求項１に記載のＳＮＳサーバ装置。
【請求項４】
コンピュータに、
ユーザ端末から受け付けたグループ通話の参加者募集投稿を、タイムライン上に公開する投稿公開手段と、
前記参加者募集投稿に応じて参加したユーザのユーザ端末間で、前記グループ通話を実行させる通話制御手段と、
前記グループ通話の通話音声を録音した録音データを保存する録音手段と、
前記録音データを、前記参加者募集投稿に対応付けてタイムライン上に公開する録音公開手段と、
公開された前記録音データを、ユーザ端末に再生させる再生制御手段と、
して機能させるためのプログラム。
【請求項５】
ユーザ端末から受け付けたグループビデオ通話の参加者募集投稿を、タイムライン上に公開する投稿公開手段と、
前記参加者募集投稿に応じて参加したユーザのユーザ端末間で、前記グループビデオ通話を実行させる通話制御手段と、
前記グループビデオ通話の通話動画を録画した録画データ又は前記ビデオグループ通話の通話音声を録音した録音データのいずれかを保存する録画手段と、
前記録画データ又は前記録音データを、前記参加者募集投稿に対応付けてタイムライン上に公開する録画公開手段と、
公開された前記録画データを、ユーザ端末に再生させる再生制御手段と、
を有することを特徴とするＳＮＳサーバ装置。
【請求項６】
コンピュータに、
グループ通話の参加者を募集するための参加者募集投稿の情報を、ＳＮＳサーバ装置に送信する投稿手段と、
ＳＮＳサーバ装置のタイムライン上に公開された参加者募集投稿の情報を表示する表示手段と、
前記参加者募集投稿に応じて参加したユーザのユーザ端末間で、前記グループ通話を実行する通話手段と、
前記参加者募集投稿に対応付けてＳＮＳサーバ装置のタイムライン上に公開された前記グループ通話の録音データを再生する再生手段と、
して機能させるためのアプリケーションプログラム。
【請求項７】
前記参加者募集投稿は、前記録音データとともに、前記グループ通話に参加したユーザのプロフィールを含むこと、
を特徴とする請求項６に記載のアプリケーションプログラム。
【請求項８】
コンピュータに、
ユーザによるスワイプ操作又はフリック操作を入力する入力手段として機能させ、
前記通話手段は、
前記グループ通話の通話中に、該グループ通話に非参加のユーザのユーザ端末に対して、該グループ通話の通話音声を提供し、
前記スワイプ操作又はフリック操作が入力された場合、提供中のグループ通話の通話音声を、別のグループ通話の通話中の通話音声又は別のグループ通話の録音データの通話音声に相互に切り替えて提供すること、
を特徴とする請求項６に記載のアプリケーションプログラム。
【請求項９】
コンピュータに、
グループビデオ通話の参加者を募集するための参加者募集投稿の情報を、ＳＮＳサーバ装置に送信する投稿手段と、
ＳＮＳサーバ装置のタイムライン上に公開された参加者募集投稿の情報を表示する表示手段と、
前記参加者募集投稿に応じて参加したユーザのユーザ端末間で、前記グループビデオ通話を実行する通話手段と、
前記参加者募集投稿に対応付けてＳＮＳサーバ装置のタイムライン上に公開された前記グループビデオ通話の録画データ又は録音データを再生する再生手段と、
して機能させるためのアプリケーションプログラム。
【発明の詳細な説明】
【技術分野】
【０００１】
本発明は、ＳＮＳサーバ装置、プログラム及びアプリケーションプログラムに関する。
【背景技術】
【０００２】
近年、Ｗｅｂ上においてはＳＮＳ（Ｓｏｃｉａｌ  Ｎｅｔｗｏｒｋｉｎｇ  Ｓｅｒｖｉｃｅ）が広く普及しており、ユーザはスマートフォン等から文字、画像又は動画のみならず、音声を投稿することも可能である。
【０００３】
ここでＳＮＳの音声投稿に関する技術として、例えば特許文献１には、ユーザ同士の通話を録音して、録音した通話データをＳＮＳ上に投稿することにより、ユーザ同士の通話内容を、通話に参加していない第３のユーザが通話内容を聞くことができる情報処理システムが記載されている。
【先行技術文献】
【特許文献】
【０００４】
【特許文献１】特許６４５５８４８号公報
【発明の概要】
【発明が解決しようとする課題】
【０００５】
しかしながら、上記特許文献１に記載の発明においては、はじめに第１のユーザから第２のユーザを特定して電話を行う必要がある。このため、通話の内容・話題によっては、特定の２者間（第１のユーザ及び第２のユーザ）の有する知見等には限界があり、ＳＮＳ上に投稿された通話データを聞こうとするユーザ（第３のユーザ）からすると、ときに深みのある有意義な通話ではなかったという可能性がある。つまり、ＳＮＳの音声投稿を聞こうとするユーザにとって重要な点の一つは、通話内容の質である。
【０００６】
本発明は、上記の点に鑑み提案されたものであり、一つの側面では、音声通話を行うユーザ及びその音声通話を聞くユーザの満足度をより向上させることを目的とする。
音声投稿を提供することを目的とする。
【課題を解決するための手段】
【０００７】
上記の課題を解決するため、本発明に係るＳＮＳサーバ装置は、ユーザ端末から受け付けたグループ通話の参加者募集投稿を、タイムライン上に公開する投稿公開手段と、前記参加者募集投稿に応じて参加したユーザのユーザ端末間で、前記グループ通話を実行させる通話制御手段と、前記グループ通話の通話音声を録音した録音データを保存する録音手段と、前記録音データを、前記参加者募集投稿に対応付けてタイムライン上に公開する録音公開手段と、公開された前記録音データを、ユーザ端末に再生させる再生制御手段と、を有する。
【０００８】
また、上記の課題を解決するため、本発明に係るアプリケーションプログラムは、コンピュータに、グループ通話の参加者を募集するための参加者募集投稿の情報を、ＳＮＳサーバ装置に送信する投稿手段と、ＳＮＳサーバ装置のタイムライン上に公開された参加者募集投稿の情報を表示する表示手段と、前記参加者募集投稿に応じて参加したユーザのユーザ端末間で、前記グループ通話を実行する通話手段と、前記参加者募集投稿に対応付けてＳＮＳサーバ装置のタイムライン上に公開された前記グループ通話の録音データを再生する再生手段と、して機能させる。
【発明の効果】
【０００９】
本発明の実施の形態によれば、音声通話を行うユーザ及びその音声通話を聞くユーザの満足度をより向上させることができる。
【図面の簡単な説明】
【００１０】
【図１】本実施形態に係るＳＮＳシステムのネットワーク構成例を示す図である。
【図２】本実施形態に係るＳＮＳアプリの画面例（その１）を示す。
【図３】本実施形態に係るＳＮＳアプリの画面例（その２）を示す。
【図４】本実施形態に係るＳＮＳアプリの画面例（その３）を示す。
【図５】本実施形態に係るＳＮＳアプリの画面例（その４）を示す。
【図６】本実施形態に係るＳＮＳアプリの画面例（その５）を示す。
【図７】本実施形態に係るＳＮＳアプリの画面例（その６）を示す。
【図８Ａ】本実施形態に係るＳＮＳアプリの画面例（その７−１）を示す。
【図８Ｂ】本実施形態に係るＳＮＳアプリの画面例（その７−２）を示す。
【図９】本実施形態に係るＳＮＳアプリの画面例（その８）を示す。
【図１０】本実施形態に係るＳＮＳアプリの画面例（その９）を示す。
【図１１】本実施形態に係るＳＮＳサーバのハードウェア構成例を示す図である。
【図１２】本実施形態に係るＳＮＳサーバのソフトウェア構成例を示す図である。
【図１３】本実施形態に係るユーザ管理ＤＢのデータ項目の一例を示す図である。
【図１４】本実施形態に係る投稿管理ＤＢのデータ項目の一例を示す図である。
【図１５】本変形例に係るＳＮＳアプリの画面例（その１）を示す。
【図１６】本変形例に係るＳＮＳアプリの画面例（その２）を示す。
【図１７】本変形例に係るＳＮＳアプリの画面例（その１）を示す。
【発明を実施するための形態】
【００１１】
本発明の実施の形態について、図面を参照しつつ詳細に説明する。
＜概要＞
本発明に係るＳＮＳのタイムライン上、まず主催者となるユーザ（第１のユーザ）は他ユーザ（第２のユーザ）とのグループ通話を行いたい場合、グループ通話内容の話題（トピック）とともにグループ通話への参加者募集投稿を行うことで、参加者を広く公募する。グループ通話開始時刻となり、主催者ユーザ及び当該グループ通話に参加したい他ユーザ（第２のユーザ）は所定操作を行うことで、参加者間でのグループ通話が可能な状態となる。参加者はお互い話題を中心とした通話（会話）を行う。このときグループ通話音声は録音されるとともに、グループ通話終了後に当該参加者募集投稿に紐付けられ形で、グループ通話の録音データが公開される。これにより、グループ通話非参加のユーザ（第３のユーザ）がタイムライン上に興味のある話題の投稿を見つけた場合、当該投稿のところからグループ通話の録音データの再生操作を行うことで、そのグループ通話内容を聞くことが可能となっている。以下詳しく説明する。
【００１２】
＜ネットワーク構成＞
図１は、本実施形態に係るＳＮＳシステムのネットワーク構成例を示す図である。図１におけるＳＮＳシステム１００は、ＳＮＳサーバ１０及びユーザ端末２０が、ネットワーク５０を介して接続されている。
【００１３】
ＳＮＳサーバ１０は、ＳＮＳに関するプログラムがインストールされており、ユーザからの投稿を受付けて、タイムライン上に、ユーザからの投稿を公開掲載するサーバ装置である。またＳＮＳサーバ１０は、２人以上のユーザ間で通話が行える通話機能（電話機能）、通話音声の録音機能、録音した通話音声の録音データをタイムライン上に公開する機能、他ユーザが通話音声の録音データを再生可能にする機能などを有している。
【００１４】
ユーザ端末２０は、ＳＮＳを利用するために、ユーザが所持するスマートフォン、タブレット端末、携帯電話、ＰＣなどを含む各種の情報処理端末装置である。ユーザ端末２０は、ディスプレイ、マイク、スピーカ、カメラ等を具備している。またユーザ端末２０には、所定のＳＮＳアプリケーションプログラム（以下単にＳＮＳアプリ、アプリという）や汎用のウェブブラウザプログラムなどが予めインストールされており、これらプログラムを介してＳＮＳサーバ１０とのアクセスが行われる。なお本実施形態においては、説明の便宜上、ユーザが所持するユーザ端末２０のうち、グループ通話の主催する第１のユーザの端末をユーザ端末２０ａ、グループ通話に参加する第２のユーザの端末をユーザ端末２０ｂ、グループ通話の録音データを聞く第３のユーザの端末をユーザ端末２０ｃとする。
【００１５】
ネットワーク５０は、有線、無線を含む通信ネットワークである。ネットワーク５０は、例えば、インターネット、公衆回線網、ＷｉＦｉ（登録商標）などを含む。
【００１６】
＜ＳＮＳアプリ利用例＞
次に、本実施形態に係るＳＮＳシステム１００について、ユーザのＳＮＳアプリ利用例を通じて、詳しく説明する。
【００１７】
（メイン画面）
図２は、本実施形態に係るＳＮＳアプリの画面例（その１）を示す。ユーザ（例えば、Ｋｅｎ）はユーザ端末２０のＳＮＳアプリを用いてＳＮＳサーバ１０にネットワーク５０を介してアクセス・ログインすることで、ＳＮＳサービスを利用することができる。
【００１８】
ユーザ端末２０のＳＮＳ画面中、ログインユーザ表示部２１０は、例えばユーザＩＤ、ユーザ名、ユーザアイコンなどによってログイン済のユーザ情報を示す。ユーザがログインユーザ表示部２１０に対してタップ操作等を行うと、ユーザ情報の詳細画面に遷移する。ユーザ情報は、例えばユーザ名、ユーザＩＤ、並びにユーザアイコン、年齢、職業、趣味、自己紹介文などのプロフィールを含む。
【００１９】
メニュー２１１は、ＳＮＳサービスの各メニューを選択するための操作部である。
【００２０】
ユーザ投稿２１２は、ＳＮＳのタイムライン上に第１のユーザから投稿された投稿情報である。ユーザ投稿２１２は、投稿属性２１３、通話者募集コメント２１４、サムネイル画像２１５、通話最大人数２１６、通話時間２１７などの情報を有している。
【００２１】
投稿属性２１３は、本投稿に関する属性情報であって、例えば、本投稿を投稿したユーザのユーザ情報、本投稿が投稿された時間、本投稿に対するユーザ評価もしくはお気に入りボタンなどが表示される。また、ユーザ情報に対してタップ操作等を行うと、本投稿を投稿したユーザのユーザ情報の詳細画面に遷移し、そのユーザ情報として、ユーザのプロフィール等が閲覧可能である。
【００２２】
通話者募集コメント２１４は、第１のユーザがグループ通話の参加者（第２のユーザ）を募集するために記入したコメントであって、主に第１のユーザが他ユーザと話をしたい通話内容の話題（トピック）の情報を含んでいる。投稿者である第１のユーザが投稿時に記入する。なお通話者募集コメント２１４は、必ずしも話題を明確に示すものではなくとも、グループ通話を行いたい内容を示唆するテキスト、単語、絵文字等であってもよい。
【００２３】
サムネイル画像２１５は、主に通話内容の話題（トピック）に関連する画像又は動画が表示される。なお、サムネイル画像２１５は、投稿者である第１のユーザが投稿時に任意の画像又は動画をアップロードしてもよいし、ＳＮＳサーバ１０側が通話者募集コメント２１４のテキスト内容に関連する画像を自動的に取得し表示してもよい。
【００２４】
通話最大人数２１６は、グループ通話の参加者（第２のユーザ）の募集最大人数、即ち通話参加可能最大人数を示す。投稿者である第１のユーザが投稿時に設定する。
【００２５】
通話時間２１７は、グループ通話の通話開始時間（又は時刻）、通話開始経過時間、及び累計通話時間の何れかの時間を示している。ここで、ユーザ投稿２１２には３種類の状態（ステータス）がある。グループ通話の参加者募集中の状態、参加者間によるグループ通話中の状態、及び、グループ通話終了後に通話音声の録音データが公開された録音公開中の状態である。従って通話時間２１７は、グループ通話の参加者募集中には通話開始時間（通話時間２１７ａ）、通話中には通話開始経過時間（通話時間２１７ｂ）、録音公開中には累計通話時間（録音時間）を示すことになる。
【００２６】
（投稿作成画面）
図３は、本実施形態に係るＳＮＳアプリの画面例（その２）を示す。第１のユーザ（例えば、Ｋｅｎ）がメニュー２１１から「投稿作成」（非図示）を選択し、「グループキャスト」２２０を押下操作すると、タイムライン上にグループ通話の参加者募集投稿を作成するための画面に移行する。
【００２７】
図４は、本実施形態に係るＳＮＳアプリの画面例（その３）を示す。図５は、本実施形態に係るＳＮＳアプリの画面例（その４）を示す。第１のユーザはタイムライン上にグループ通話の参加者募集投稿（ユーザ投稿２１２）を作成するため、サムネイル画像２３０、通話者募集コメント２３１、公開設定２３２、パスワード２３３、参加人数設定２３４、予約通話設定２３５、開始時刻設定２３６などの入力・設定を行う。
【００２８】
サムネイル画像２３０は、投稿者である第１のユーザが主に通話内容の話題（トピック）に関連する画像又は動画のアップロード欄である。図２のサムネイル画像２１５に対応する。
【００２９】
通話者募集コメント２３１は、投稿者である第１のユーザがグループ通話の参加者者（第２のユーザ）を募集するためのコメント、主に第１のユーザが他ユーザと話をしたい通話内容の話題（トピック）を入力するための入力欄である。図２の通話者募集コメント２１４に対応する。
【００３０】
公開設定２３２は、グループ通話の公開又は非公開を設定するための設定欄である。グループ通話を非公開に設定した場合、グループ通話の参加時にパスワード入力が要求されるため、パスワードを知るユーザのみがグループ通話に参加できる。図２の通話最大人数２１６に対応する。
【００３１】
予約通話設定２３５は、自動通話参加機能の設定欄である。投稿者である第１のユーザが予約通話を設定した場合、設定した時刻に自動的に通話グループが作成され、グループ通話が開始される。
【００３２】
開始時刻設定２３６は、グループ通話の通話開始時刻の設定欄である。ここで設定された通話開始時刻にグループ通話が開始される。なお開始時刻設定２３６は、例えば３０分後、１時間後といったようにグループ通話が開始される時間としてもよい。図２の通話時間２１７に対応する。
【００３３】
以上の入力・設定完了後、「キャストする」２３７が押下されることで、タイムライン上にグループ通話の参加者募集投稿がユーザ投稿２１２として投稿される。
【００３４】
図６は、本実施形態に係るＳＮＳアプリの画面例（その５）を示す。タイムライン上にグループ通話の参加者募集投稿が投稿されると、タイムライン上、新規のユーザ投稿２１２として原則全ユーザが閲覧可能に表示される。なお、ＳＮＳシステム１００においては、いわゆるアカウントのフォロー／フォロワー機能を有しており、またプライベートアカウント（鍵アカウントともいう）機能も有している。よって、このプライベートアカウントを設定しているユーザの投稿については、投稿閲覧を許可されたフォロワーのみが閲覧することができる。
【００３５】
（通話画面）
図７は、本実施形態に係るＳＮＳアプリの画面例（その６）を示す。投稿者である第１のユーザが開始時刻設定２３６で設定した通話開始時刻になると、グループ通話が可能な状態となる。他ユーザ（第２のユーザ）は、例えば参加を応募したいグループ通話の参加者募集投稿を選択の上、メニュー２１１から「通話」（非図示）を選択し、「通話に参加する」２１８を押下操作することで、ユーザの画面がグループ通話画面に切り替わる。なおユーザ操作性を高めるため、他ユーザ（第２のユーザ）が例えば参加を応募したいグループ通話の参加者募集投稿を選択するだけで、ユーザの画面がすぐにグループ通話画面に切り替わるようにすることも可能である。投稿者である第１のユーザについては、予約通話を設定している場合、第１のユーザの画面は自動的にグループ通話画面に切り替わる。
【００３６】
ここで、他ユーザ（第２のユーザ）は、タイムライン上のユーザ投稿２１２のうち、例えば通話者募集コメント２１４、サムネイル画像２１５、及び本投稿を投稿したユーザのユーザ情報（プロフィールを含む）などを主な判断材料として、グループ通話に参加するか否かを検討することができる。つまりこれにより、話題に対して興味が共通する者であったり、特別な知見や経験（バックグラウンド）を有する者であったり、関係者であったり、同じ立場又は異なる立場にある者といったように、当該話題に対して有意義な意見（ディスカッション）を提供しうる人物の参加を期待することが可能となる。
【００３７】
具体的に、通話者募集コメント２１４が「先週開催された〇〇イベントについて、意見交換会をしたいと思います。ご興味ある方はぜひご参加下さい。」といった投稿である場合、当該グループ通話の参加者は、先週開催された〇〇イベントの参加者であったり関係者からの参加可能性が高く、当該グループ通話の内容が質的に有意義なものとなることを期待できる。また、高校生による投稿であって通話者募集コメント２１４が「私は高校男子です。受験で悩んでいる方、話しませんか？」といった投稿である場合、受験で悩んでいる同じ境遇の高校生からの参加可能性が高く、当該グループ通話が有意義なものとなることを期待できる。また、新製品〇〇のオーソリティによる投稿であって通話者募集コメント２１４が「新製品〇〇について語ろう。」といった投稿である場合、既に新製品〇〇を所有している者やこれから購入検討中で実際の使い勝手などを聞いてみたい者からの参加可能性が高く、当該グループ通話が有意義なものとなることを期待できる。
【００３８】
図８Ａは、本実施形態に係るＳＮＳアプリの画面例（その７−１）を示す。投稿者である第１のユーザのグループ通話画面について説明する。通話開始時刻となり、第１のユーザのユーザ端末２０ａがグループ通話画面に切り替わり、グループ通話に参加することで参加者間同士でのグループ通話が可能な状態となる。
【００３９】
図８Ａ（ａ）は、通話開始時刻直後における第１のユーザ（例えば、Ｋｅｎ）のユーザ端末２０ａのグループ通話画面を示す。この時点においては、通話グループが作成された状態であって、まだ「通話グループ」には参加していない状態である。参加者欄２４０にも誰も表示がない状態である。第１のユーザは通話ボタン２４１を押下操作することで、通話グループに参加できる。
【００４０】
図８Ａ（ｂ）は、投稿者である第１のユーザが通話に参加した状態のグループ通話画面を示す。通話グループに参加後、通話が可能となる。参加者欄２４０には、第１のユーザ（例えば、Ｋｅｎ）を示すユーザアイコンのみが表示されているため、「通話グループ」に他のユーザはまだ参加していない状態である。
【００４１】
図８Ａ（ｃ）は、続いて第２のユーザ（例えば、Ｒｅｎ、佐々木、ａｉｕ）が通話に参加した状態のグループ通話画面を示す。また参加者欄２４０には、第２のユーザ（例えば、Ｒｅｎ、佐々木、ａｉｕ）を示すユーザアイコンが表示されている。参加者は話題を中心とした通話を行うとともに、通話中の通話音声は録音される。また第１のユーザは通話ボタン２４２を押下操作することで、通話グループからいつでも退出できる。
【００４２】
図８Ｂは、本実施形態に係るＳＮＳアプリの画面例（その７−２）を示す。第２のユーザのグループ通話画面について説明する。通話開始時刻となり、第２のユーザのユーザ端末２０ｂがグループ通話画面に切り替わり、グループ通話に参加することで参加者間同士でのグループ通話が可能な状態となる。
【００４３】
図８Ｂ（ａ）は、グループ通話画面に切り替わった直後における第２のユーザ（例えば、ａｉｕ）のユーザ端末２０ｂのグループ通話画面を示す。この時点において、第２のユーザ（例えば、ａｉｕ）はまだ「通話グループ」には参加していない状態である。よって通話はまだできない。但し、第２のユーザ（例えば、ａｉｕ）は通話グループには参加していなくともグループ通話画面を開くことで、リスナーとして進行中のユーザ通話をリアルタイムで聞くことが可能である。参加者欄２４０には、既に参加中のユーザ（例えば、Ｋｅｎ、Ｒｅｎ、佐々木）を示すユーザアイコンが表示されている。つまり第２のユーザ（例えば、ａｉｕ）はこの時点、グループ通話ではなく、あくまで一リスナーとして参加者（例えば、Ｋｅｎ、Ｒｅｎ、佐々木）の通話をリアルタイムで聞くことができる。一方、第２のユーザ（例えば、ａｉｕ）は自らも参加者として通話（発言）をしたい場合には、通話ボタン２４１を押下操作することで、通話グループに参加し通話ができる。
【００４４】
図８Ｂ（ｂ）は、第２のユーザが通話に参加した状態のグループ通話画面を示す。第２のユーザ（例えば、ａｉｕ）は通話グループに参加後、通話が可能となる。参加者欄２４０には、参加者の１人として当該第２のユーザ（例えば、ａｉｕ）を示すユーザアイコンが追加表示されている。また当該第２のユーザ（例えば、ａｉｕ）は通話ボタン２４２を押下操作することで、通話グループからいつでも退出できる。
【００４５】
このように、グループ通話開始時刻となると、参加者同士でグループ通話（会話）を実際に行うことができるので、仮にお互い直接知らない間柄であっても、興味が共通する話題についてお互いに会話コミュニケーションを楽しむことができる。但し図８Ａ及び図８Ｂの場合、ユーザ投稿２１２に設定されている通話最大人数２１６は４人である。このため、通話最大人数４人を超える以上の他ユーザは、通話参加することができない。参加者を現実的な通話が可能な人数に制限することで、通話しやすさを確保することができる。
【００４６】
なお、例えば第１のユーザがグループ通話の場を設定するだけの場合、第１のユーザが他ユーザを代行してグループ通話の場を設定する場合等があってもよく、その場合にはシステム上、第１のユーザのグループ通話参加が必須としないようにしてもよい。但し、第１のユーザがグループ通話に参加していない場合であっても、第１のユーザが参加可能な状態を維持するために、第２のユーザの上限数は「設定した最大参加可能人数−１」となるため、第１のユーザの参加枠は常に確保される。
【００４７】
（再生画面）
図９は、本実施形態に係るＳＮＳアプリの画面例（その８）を示す。グループ通話終了後、録音したグループ通話音声の録音データが当該参加者募集投稿に紐付けられることで、当該ユーザ投稿２１２は録音投稿として公開される。図９の通話時間２１７ｃは、グループ通話音声の録音データの通話録音時間（例えば３５分３０秒）を示している。
【００４８】
図１０は、本実施形態に係るＳＮＳアプリの画面例（その９）を示す。ユーザ（例えば第３のユーザ）がユーザ投稿２１２のグループ通話音声の録音データを聞きたい場合、タイムライン上の所望のユーザ投稿２１２に対してタップ操作等を行うと、録音データの再生画面に遷移する。
【００４９】
再生画面には、サムネイル画像２１５、通話者募集コメント２１４の他、グループ通話の開始時刻、終了時刻、参加人数、通話時間、参加者、及び再生回数を含む録音属性情報２５０が表示される。ユーザは例えば通話者募集コメント２１４により通話内容の話題が興味あるものかどうか、参加者のプロフィールを確認し、どのような参加者によって行われた通話なのかを、再生するか否かの判断材料として参照する。
【００５０】
特に参加者のプロフィールについて、録音属性情報２５０のうち所望の参加者に対してタップ操作等を行うと、当該参加者のユーザ情報の詳細画面に遷移することで、その詳細を参照可能である。参加者のユーザ情報は、例えばユーザ名、ユーザＩＤ、並びにユーザアイコン、年齢、職業、趣味、自己紹介文などのプロフィールを含む。グループ通話参加者のプロフィールは、話題に対して興味が共通する者であったり、特別な知見や経験（バックグラウンド）を有する者であったり、同じ立場又は異なる立場にある者による通話であるかどうかを判断するための有用な情報である。これにより、ユーザ（第３のユーザ）は、自身の興味・関心に叶う通話内容であるとともに、有意義で質の高い通話内容を聞くことが可能である。
【００５１】
ユーザがユーザ投稿２１２の通話音声の録音データを再生したい場合、姿勢画面上の再生ボタン２５１を押下操作することで、ユーザのユーザ端末２０ｃにおいて、当該録音データを聞くことができる。またユーザがいわゆるソーシャルボタン２５２の押下操作を行うことで、ユーザ評価、お気に入り登録、もしくは投稿拡散（いわゆるリツイートとも呼ばれる）を行うことも可能である。
【００５２】
なお、参加者の知見とは、必ずしも高水準な知見が必要ということではなく、話題に関して会話を行える程度のものでもよい。つまりグループ通話へ参加し発言意思があれば足りうる。物事には様々な見方があり、通話内容の質を向上させるという観点からいえば様々な立場の人から色々な意見があった方がむしろ望ましいともいえるためである。
【００５３】
＜システム構成＞
（ハードウェア構成）
図１１は、本実施形態に係るＳＮＳサーバのハードウェア構成例を示す図である。ＳＮＳサーバ１０は、ＣＰＵ（Central Processing Unit）１１、ＲＯＭ（Read Only Memory）１２、ＲＡＭ（Random Access Memory）１３、ＨＤＤ（Hard Disk Drive）１４、及び通信装置１５を有する。
【００５４】
ＣＰＵ１１は、各種プログラムの実行や演算処理を行う。ＲＯＭ１２は、起動時に必要なプログラムなどが記憶されている。ＲＡＭ１３は、ＣＰＵ１１での処理を一時的に記憶したり、データを記憶したりする作業エリアである。ＨＤＤ１４は、各種データ及びプログラムを格納する。通信装置１５は、ネットワーク５０を介して他装置との通信を行う。
【００５５】
（ソフトウェア構成）
図１２は、本実施形態に係るＳＮＳサーバのソフトウェア構成例を示す図である。ＳＮＳサーバ１０は、主な機能部として、投稿受付部１０１、投稿公開部１０２、通話制御部１０３、録音部１０４、録音公開部１０５、再生制御部１０６、及び記憶部１０７を有する。
【００５６】
投稿受付部１０１は、ユーザ端末２０からグループ通話の参加者募集投稿の情報を受信することで、当該参加者募集投稿を受け付ける機能を有している。
【００５７】
投稿公開部１０２は、ユーザ端末２０から受け付けたグループ通話の参加者募集投稿を、タイムライン上に公開する機能を有している。即ち投稿公開部１０２は、ユーザ端末２０に参加者募集投稿の情報を送信することで、ユーザ端末２０のデバイス側の画面上で投稿が表示される。
【００５８】
通話制御部１０３は、参加者募集投稿に応じて参加したユーザのユーザ端末２０間で、グループ通話を実行させる機能を有している。グループ通話は、一のユーザ端末２０から受信した受信音声を、他のユーザ端末２０に送信することで実現される。
【００５９】
録音部１０４は、グループ通話の通話音声を録音した録音データを、参加者募集投稿と対応付けて保存する機能を有している。
【００６０】
録音公開部１０５は、録音データを、参加者募集投稿に対応付けてタイムライン上に公開する機能を有している。また録音公開部１０５は、録音データとともにグループ通話に参加したユーザのプロフィールを公開する。
【００６１】
再生制御部１０６は、ユーザ端末２０の再生要求に応じて、公開された録音データを、ユーザ端末２０に再生させる機能を有している。これによりユーザ端末２０のデバイス側で公開された録音データが再生される。
【００６２】
記憶部１０７は、ユーザ管理ＤＢ１０７ａ及び投稿管理ＤＢ１０７ｂを記憶する機能を有している。ユーザ管理ＤＢ１０７ａはＳＮＳを利用するユーザ情報を管理し、投稿管理ＤＢ１０７ｂはユーザによる投稿情報を管理するためのデータベースである。
【００６３】
なお、各機能部は、ＳＮＳサーバ１０を構成するコンピュータのＣＰＵ、ＲＯＭ、ＲＡＭ等のハードウェア資源上で実行されるコンピュータプログラムによって実現されるものである。これらの機能部は、「手段」、「モジュール」、「ユニット」、又は「回路」に読替えてもよい。また、コンピュータプログラムは、コンピュータが読み取り可能な記憶媒体に格納されていてもよい。
【００６４】
（ユーザ管理ＤＢ）
図１３は、本実施形態に係るユーザ管理ＤＢのデータ項目の一例を示す図である。図１３に示されるようにユーザ管理ＤＢ１０７ａは、各ユーザの「ユーザＩＤ」「ユーザ名」「パスワード」「メールアドレス」「年齢」「性別」「職業」「趣味」「自己紹介文」「プロフィール画像（ユーザアイコン画像）」等のデータ項目を有する。
【００６５】
（投稿管理ＤＢ）
図１４は、本実施形態に係る投稿管理ＤＢのデータ項目の一例を示す図である。図１４に示されるように投稿管理ＤＢ１０７ｂは、各投稿の「投稿ＩＤ」「投稿ユーザ名」「サムネイル画像」「通話者募集コメント」「公開設定」「パスワード」「参加人数設定」「予約通話設定」「開始時刻設定」「ユーザ評価」「録音データ」開始時刻」「終了時刻」「参加人数」「通話時間」「参加者」「再生回数」等のデータ項目を有する。
【００６６】
＜変形例１＞
本変形例は、上述の実施形態に係るグループ通話を、音声通話に代えてビデオ通話を適用したものである。以下、詳しく説明する。
【００６７】
図１５は、本変形例に係るＳＮＳアプリの画面例（その１）を示す。通話開始時刻となり、ユーザ端末２０がグループ通話画面に切り替わると、参加者間同士でのグループビデオ通話が可能な状態となる。参加者は話題を中心としたビデオ通話を行うとともに、ビデオ通話中の通話動画が録画される。
【００６８】
図１６は、本変形例に係るＳＮＳアプリの画面例（その２）を示す。グループビデオ通話終了後、録画したグループビデオ通話の録画データが当該参加者募集投稿に紐付けられることで、当該ユーザ投稿２１２は録画投稿として公開される。ユーザ（例えば第３のユーザ）がユーザ投稿２１２のグループビデオ通話の録画データを視聴したい場合、タイムライン上の所望のユーザ投稿２１２に対してタップ操作等を行うと、録画データの再生画面に遷移する。
【００６９】
本変形例によれば、グループビデオ通話の参加者（第１のユーザ及び第２のユーザ）は、お互いの様子を示す動画を見ながら通話を行えるので、会話コミュニケーション及びその質をいっそう深めることができる。特にグループビデオ通話の場合には、話題に関連して実際の対象物（紹介製品等）を画面上に映しながら通話を行えるので有用である。またユーザ（第３のユーザ）についてもユーザ投稿２１２のグループビデオ通話を動画として視聴できるため、いっそう有意義で質の高い通話内容を視聴することが可能である。
【００７０】
なお、上述の実施形態に本変形例を適用する場合、図１２のＳＮＳサーバ１０のソフトウェア構成例において、例えば通話制御部１０３をビデオ通話制御部、録音部１０４を録画部、録音公開部１０５を録画公開部に置き換えることができる。
【００７１】
また、参加者間同士でのグループビデオ通話時、グループビデオ通話の通話音声だけを録音してもよい。即ち、グループビデオ通話中、グループビデオ通話の通話音声を録音した録音データを録音し、グループビデオ通話終了後、録音したグループビデオ通話の録音データを当該参加者募集投稿に紐付けることで、当該ユーザ投稿２１２を録音投稿として公開する。またもしくは、参加者間同士でのグループビデオ通話時、グループビデオ通話の通話動画を録画し、グループビデオ通話終了後、録画したグループビデオ通話の通話動画データから音声のみを抜き出した録音データ（音声データ）のみを当該参加者募集投稿に紐付けることで、当該ユーザ投稿２１２を録音投稿として公開する。
【００７２】
＜変形例２＞
図１７は、本変形例に係るＳＮＳアプリの画面例（その１）を示す。
図８Ｂ（ａ）に示したように、第２のユーザ（例えば、ａｉｕ）は通話グループには参加していなくとも、あくまで一リスナーとして参加中のユーザ通話をリアルタイムに聞くことが可能であった。ここで、このリスナー状態中に、第２のユーザはユーザ端末２０ｂのグループ通話画面を、例えば右から左へ、左から右へ、上から下へ、又は下から上へと、スライド操作（いわゆるスワイプ操作又はフリック操作）することで、全く別の投稿のグループ通話画面に表示を相互に切り替えて、切り替え後の別のグループ通話画面でもまたリスナーとして通話進行中の通話内容をリアルタイムに聞くことができる（図１７（ａ）及び（ｂ））。これにより、第２のユーザが別の投稿のグループ通話画面に表示を切り替えたい場合、タイムライン（図２）に戻る操作が必要はなく、簡単なスライド操作を繰り返すことで、いわばネットサーフィン感覚で横断的に、様々なグループ通話を聞くことができる。
【００７３】
また、スライド操作によって切り替え先となる別投稿のグループ通話画面は、通話進行中のグループ通話画面のみならず、予定通話のグループ通話画面及び録音データの再生画面を含めてもよい（図１７（ｃ）及び（ｄ））。この場合も第２のユーザが簡単な操作で繰り返すことで、別投稿のグループ通話画面及び録音データの再生画面を横断的に切り替えることができる。
【００７４】
なお、通話進行中のグループ通話画面及び予定通話のグループ通話画面には、ユーザ投稿２１２の有する投稿情報（例えば投稿属性２１３、通話者募集コメント２１４、サムネイル画像２１５、通話最大人数２１６、通話時間２１７等）の詳細を併せて表示するか、又は投稿情報の詳細へのリンクを設けるとよい。これにより第２のユーザがタイムライン（図２）に戻る操作が必要はなく、例えば通話者募集コメント２１４により通話内容の話題が興味あるものかどうか、参加者のプロフィールを確認し、どのような参加者によって行われた通話なのかを、その通話を聞くか否かの判断材料として参照することが可能である。
【００７５】
＜総括＞
以上のように本実施形態に係るＳＮＳシステム１００によれば、主催者となるユーザ（第１のユーザ）が、グループ通話内容の話題（トピック）とともにグループ通話への参加者メンバーをＳＮＳ上から広く公募できる。通話開始時刻となると、参加者同士でグループ通話（会話）を実際に行うことができるので、仮にお互い直接知らない間柄であっても、興味が共通する話題についてお互いに会話コミュニケーションを楽しむことができる。また、グループ通話の終了後にはそのグループ通話内容の録音データが公開される。このため、グループ通話に参加していないユーザ（第３のユーザ）も、グループ通話の録音データの再生操作を行うことで、事後的にそのグループ通話内容を聞くことが可能である。
【００７６】
なお、本発明の好適な実施の形態により、特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００７７】
１０    ＳＮＳサーバ
２０    携帯端末
５０    ネットワーク
１００  ＳＮＳシステム
１０１  投稿受付部
１０２  投稿公開部
１０３  通話制御部
１０４  録音部
１０５  録音公開部
１０６  再生制御部
１０７  記憶部
【要約】
【課題】音声通話を行うユーザ及びその音声通話を聞くユーザの満足度をより向上させる。
【解決手段】本発明に係るＳＮＳサーバ装置は、ユーザ端末から受け付けたグループ通話の参加者募集投稿を、タイムライン上に公開する投稿公開手段と、参加者募集投稿に応じて参加したユーザのユーザ端末間で、グループ通話を実行させる通話制御手段と、グループ通話の通話音声を録音した録音データを保存する録音手段と、録音データを、参加者募集投稿に対応付けてタイムライン上に公開する録音公開手段と、公開された録音データを、ユーザ端末に再生させる再生制御手段と、を有する。
【選択図】図１０【図１】
0006875628.tif 000002
【図２】
0006875628.tif 000003
【図３】
0006875628.tif 000004
【図４】
0006875628.tif 000005
【図５】
0006875628.tif 000006
【図６】
0006875628.tif 000007
【図７】
0006875628.tif 000008
【図８Ａ】
0006875628.tif 000009
【図８Ｂ】
0006875628.tif 000010
【図９】
0006875628.tif 000011
【図１０】
0006875628.tif 000012
【図１１】
0006875628.tif 000013
【図１２】
0006875628.tif 000014
【図１３】
0006875628.tif 000015
【図１４】
0006875628.tif 000016
【図１５】
0006875628.tif 000017
【図１６】
0006875628.tif 000018
【図１７】
0006875628.tif 000019